(57)【特許請求の範囲】
【請求項１】
データ・プロセッサで制御される複数の対話型受信表示ステーションを介するユーザ・アクセスと、リンク可能なマークアップ言語で前記受信表示ステーションから離れた場所から前記ステーションへ伝送された受信ページを表示するためのシステムとを有し、前記受信ページがテキスト、イメージ、およびマークアップ言語制御タグを含む、コンピュータ管理された通信ネットワークであって、
現在表示されている現行ページの後に表示するように選択され且つ伝送される後続ページ中にあって、前記現行ページ中の表示機能を制御するための制御タグと、
前記制御タグに応答して前記表示機能を実施する手段とを備え、
前記表示機能を実施する前記手段が、前記後続ページ中の前記制御タグによって選択的に活動化可能な制御タグを、前記現行ページ中に含む、通信ネットワーク。
【請求項２】
前記後続ページがさらに、前記現行ページが前記後続ページによって制御可能かどうかを選択的に判定するためのデータを含む、請求項１に記載の通信ネットワーク。
【請求項３】
前記判定するためのデータが前記現行ページのＵＲＬを含む、請求項２に記載の通信ネットワーク。
【請求項４】
前記現行ページが、前記現行ページが前記後続ページによって制御可能かどうかを選択的に判定するためのデータをさらに含む、請求項１に記載の通信ネットワーク。
【請求項５】
前記判定するためのデータが前記後続ページのＵＲＬを含む、請求項４に記載の通信ネットワーク。
【請求項６】
前記マークアップ言語がハイパーテキスト・マークアップ言語であり、前記通信ネットワークがワールド・ワイド・ウェブである、請求項３に記載の通信ネットワーク。
【請求項７】
データ・プロセッサに制御された複数の対話型受信表示ステーションを介するユーザ・アクセスと、リンク可能なマークアップ言語で前記受信表示ステーションから離れた場所から前記ステーションへ伝送された受信ページを表示するためのシステムとを有し、前記受信ページがテキスト、イメージ、およびマークアップ言語制御タグを含む、コンピュータ管理された通信ネットワークにおいて、
現在表示されている現行ページの後に表示するように選択され且つ伝送される後続ページ中に、前記現行ページ中の表示機能を制御するための制御タグを提供するステップと、
前記制御タグに応答して前記表示機能を実施するステップとから成り、
前記表示機能を実施する前記ステップが、前記後続ページ中の前記制御タグによって選択的に活動化可能な制御タグを、前記現行ページ中に提供するステップを含む、表示機能を制御する方法。
【請求項８】
前記現行ページが前記後続ページによって制御可能かどうかを選択的に判定するためのデータを前記後続ページ中に提供するステップをさらに含む、請求項７に記載の方法。
【請求項９】
前記判定するためのデータが前記現行ページのＵＲＬを含む、請求項８に記載の方法。
【請求項１０】
前記現行ページが前記後続ページによって制御可能かどうかを選択的に判定するためのデータを前記現行ページ中に提供するステップをさらに含む、請求項７に記載の方法。
【請求項１１】
前記判定するためのデータが前記後続ページのＵＲＬを含む、請求項８に記載の方法。
【請求項１２】
前記マークアップ言語がハイパーテキスト・マークアップ言語であり、前記通信ネットワークがワールド・ワイド・ウェブである、請求項９に記載の方法。
【発明の詳細な説明】
【０００１】
【発明の属する技術分野】
本発明は、ワールド・ワイド・ウェブ（Ｗｅｂ）などの、コンピュータ管理された通信ネットワークに関し、詳細には、次々に伝送される一連のページを受信するための、またはページ間を移行するための、ユーザ・フレンドリーであり、Ｗｅｂページのユーザおよび製作者にページ間の進行に対する何らかの制御を提供する、コンピュータ制御された対話型ディスプレイ・インターフェースを使いやすくすることに関する。
【０００２】
【従来の技術】
次の特許出願は、発明者および譲渡人が本発明と同じで、同時に出願され、本発明の主題に関連する主題を扱っている。「Ｎｅｔｗｏｒｋ  Ｔｒａｎｓｍｉｓｓｉｏｎ  ｏｆ  Ｐａｇｅｓ  ｉｎ  Ｌｉｎｋａｂｌｅ  Ｍａｒｋｕｐ  Ｌａｎｇｕａｇｅ  ｔｏ  Ｒｅｃｅｉｖｉｎｇ  Ｄｉｓｐｌａｙ  Ｓｔａｔｉｏｎｓ  ｗｉｔｈ  Ｃｕｒｒｅｎｔｌｙ  Ｄｉｓｐｌａｙｅｄ  Ｐａｇｅｓ  Ｃｏｎｔｒｏｌｌｅｄ  ｂｙ  Ｔａｇｓ  ｉｎ  Ｓｕｃｃｅｅｄｉｎｇ  Ｐａｇｅｓ  ｔｏ  Ｐｒｏｄｕｃｅ  Ａｅｓｔｈｅｔｉｃａｌｌｙ  Ｐｌｅａｓｉｎｇ  Ｔｒａｎｓｉｔｉｏｎｓ  Ｂｅｔｗｅｅｎ  Ｐａｇｅｓ」（整理番号ＡＴ９−９９−２２４）
【０００３】
１９９０年代は、データ処理産業と消費者電子産業との融合によって促進された技術革新をその特徴とする。その結果、何年も前から知られ利用可能であったが余り騒がれていなかった技術が、活性化された。こうした技術の主要な１つが、インターネットまたはＷｅｂに関するドキュメント、メディア、およびプログラムの配布である。電子娯楽産業および消費者産業とデータ処理の融合によって、広範に広がる通信配布チャネルへの需要が急激に加速し、大学および政府の緩いデータ配布機能として一世代以上にわたって静かに存在していたＷｅｂまたはインターネットは、「臨界質量」に達し、驚異的な拡大期に入った。この拡大に伴って、企業と消費者は、あらゆるドキュメント、メディア、およびコンピュータ・プログラムに直接アクセスできるようになった。
【０００４】
さらに、数年前からインターネットまたはＷｅｂの記述言語であったマークアップ言語、特にハイパーテキスト・マークアップ言語（ＨＴＭＬ）は、当初はテキストで、その後メディア、すなわち「ハイパーメディア」へと進化した様々な関連するデータ・ソースと共に、受信ページとＷｅｂ上の他のページとの間の直接リンクを提供した。これによって、インターネットまたはＷｅｂの利用がより一層激増した。
【０００５】
当初、多くの人がほとんど時代遅れとみなしていたＷｅｂのような機能が、需要を満たすのに必要な驚異的な量のトラフィックを処理できたことは、まさに注目に値する。過去数年間、Ｗｅｂに関連した技術的リソースのほとんどは、著しく増加するトラフィックの需要を満たすために、余すところなく利用されてきた。その結果、Ｗｅｂのユーザ・インターフェースをよりユーザ・フレンドリーにするために、すなわちＷｅｂに目を向けている余り慣れていない多数のコンピュータ・ユーザを、より美的に満足できる環境においてより快適にさせるために、Ｗｅｂのユーザ・インターフェースを向上させることに対しては、余り努力が払われてこなかった。
【０００６】
しかしついに、Ｗｅｂの発展過程における現時点において、トラフィック・フローの需要を満たすのに要する以上の、コンピュータのハードウェア・リソースおよびソフトウェア・リソースが利用可能となり、その結果、人とＷｅｂのインターフェースを美的に向上させるための技術、およびユーザをより快適にさせるための技術に目を向けることができるようになった。本発明はこうした目的を対象とする。現行ページが消えて後続ページが断片ごとにバラバラと現れる間、ユーザは待っていなければならないので、現行ページと後続ページの間の移行または進行が、よくても突然であり、悪くするとイライラさせるものになることは、Ｗｅｂをブラウズしたことがあるすべての人にとって明らかなはずである。
【０００７】
【発明が解決しようとする課題】
本発明は、ユーザを快適にさせ、Ｗｅｂページの製作者とユーザの両方によって容易に変更可能な、現行Ｗｅｂページと後続Ｗｅｂページの間の進行または移行を提供する。本発明は、Ｗｅｂまたはインターネット（本願では、これらの用語を同義に用いる）などのコンピュータ管理された通信ネットワークを対象とする。
【０００８】
【課題を解決するための手段】
通常、ユーザのネットワークへのアクセスは、データ・プロセッサに制御された複数の対話型受信表示ステーションを介して行われる。表示された受信ページは、リンク可能なマークアップ言語で、受信表示ステーションから離れた場所から前記ステーションへ伝送される。受信ページは、テキスト、イメージ、およびマークアップ言語制御タグを含む。本発明は、その最も広義の態様において、現在表示されているページに後続するように選択された送信ページ中の、前記現在表示されているページ中の表示機能を制御するためのこうした制御タグを、これらの制御タグに応答して前記表示機能を実施する手段と組み合わせて使用するものである。この実施形態では、現行ページ中の制御タグが、後続ページ中の制御タグに応答して選択的に活動化可能である。本発明の任意選択の態様によると、現行ページはさらに、現行ページが前記後続ページによって制御可能かどうかを選択的に判定するためのデータを含む。このデータは、それによって現行ページが制御できる後続ページのみのＵＲＬ（Ｕｎｉｆｏｒｍ  Ｒｅｓｏｕｒｃｅ  Ｌｉｎｋａｇｅ）のリストとすることができる。逆に、前記現行ページが前記後続ページによって制御可能かどうかを選択的に判定するために、後続ページがこのデータを含むようにセットアップすることもできる。上述の効果的かつ望ましい進行の諸態様は、前記現行ページから前記後続ページへの選択された機能的進行のための表示機能を制御する、前記現行ページ中の少なくとも１つの活動化可能な制御タグを使って実施することができる。本発明の重要な一態様によると、望ましい進行は、現在表示されているページの一部を操作するステップと、前記操作された部分を前記表示された後続ページ中に含めるステップとを含む。また、現行Ｗｅｂページから後続Ｗｅｂページへの進行は、上述の相互参照した同時係属の特許出願でより詳細に扱っているように、美的に満足できユーザにとって快適なページ間の移行を含むことができる。
【０００９】
本発明は、次のページ、すなわち後続ページが、現在表示されているページからこの後続ページへの移行を制御するという概念に基づくことを強調しておきたい。たとえば、後続ページ中の制御機能は、以前に表示されたすべてのページ、すなわち現在表示されているページを、こうしたページのＨＴＭＬの内容にかかわらず、すべて指定した形で閉じる、すなわち終了するように指定することができる。
【００１０】
【発明の実施の形態】
特定の実施形態の詳細に移る前に、本発明に関連する可能性のある様々な要素や方法をより一般的な観点から理解することが有用であろう。本発明の主要な態様が、ネットワーク上で伝送されるＷｅｂページなどのドキュメントを対象としているので、ネットワークおよびその動作原理を理解すれば、有用であろう。本発明を適用できるネットワークについては、詳述しない。またインターネットなどの世界規模のネットワークに対する本発明の適用性については、既に言及した。インターネットのノード、オブジェクト、およびリンクの詳細については、Ｇ．  Ｈ．キャディー（Ｃａｄｙ）他の文献「Ｍａｓｔｅｒｉｎｇ  ｔｈｅ  Ｉｎｔｅｒｎｅｔ」（カリフォルニア州アラミダのＳｙｂｅｘ社から１９９６年に刊行）を参照されたい。
【００１１】
コンピュータ制御されたシステムと様々なサイトを相互接続するまたはリンクするすべてのデータ通信システムが、通信ネットワークを規定する。ネットワークは、リンクされた２台のコンピュータのように簡単なものでもよく、またローカル・エリア・ネットワーク（ＬＡＮ）やワイド・エリア・ネットワーク（ＷＡＮ）の任意の組合せとすることもできる。もちろんインターネットすなわちＷｅｂは、異質なコンピュータ技術とオペレーティング・システムが混ざり合った世界規模のネットワークである。階層においてより高位のオブジェクトが、様々なネットワーク・サーバ・コンピュータを介して、より低位のオブジェクトとリンクされる。Ｗｅｂページおよび関連ドキュメントの配布などのネットワーク配布にとって、これらのネットワーク・サーバが鍵である。ＨＴＭＬ言語については、以下の文献に詳述されている。Ｐｅｔｅｒ  ｖａｎ  ｄｅｒ  Ｌｉｎｄｅｎの「Ｊｕｓｔ  Ｊａｖａ」第２版（サン・マイクロシステムズ、１９９７年）、Ｍｉｃｈｅｌｅ  Ｐｅｔｒｏｖｓｋｙ，  Ｏｓｂｏｕｒｎｅの文献「Ｄｙｎａｍｉｃ  ＨＴＭＬ  ｉｎ  Ａｃｔｉｏｎ」（カリフォルニア州バークレーのＭｃＧｒａｗ−Ｈｉｌｌ、１９９８年刊、ｐ．８７〜ｐ．１０３でＨＴＭＬタグの使用について広範に扱っている）、およびＣａｄｙ他の文献「Ｍａｓｔｅｒｉｎｇ  ｔｈｅ  Ｉｎｔｅｒｎｅｔ」（カリフォルニア州アラミダのＳｙｂｅｘから１９９６年に刊行、特にＷｅｂページの形成におけるＨＴＭＬに関するｐ．６３７〜ｐ．６４２）。さらに、本発明のいくつかの態様はＷｅｂブラウザを含むことになろう。ブラウザについては、上述のキャディー（Ｃａｄｙ）他の文献のｐ．２９１〜ｐ．３１３に一般的かつ包括的に記載されている。
【００１２】
図１を参照すると、現在表示されているページ中の機能を後続ページ中のタグによって制御するための、本発明を実施する際に使用される基本的なコンピュータ制御されたネットワーク受信端末として機能できる典型的なデータ処理端末が示されている。ＰＣマイクロプロセッサのＣＰＵ、または例えばインターナショナル・ビジネス・マシーンズ・コーポレーション（ＩＢＭ）から市販のＲＩＳＣ  Ｓｙｓｔｅｍ／６０００（ＴＭ）シリーズ（ＲＩＳＣ  Ｓｙｓｔｅｍ／６０００は、インターナショナル・ビジネス・マシーンズ・コーポレーションの商標）等のワークステーションのＣＰＵなどの中央処理装置（ＣＰＵ）１０が設けられ、システム・バス１２によって様々な他の構成要素と相互接続されている。オペレーティング・システム４１は、ＣＰＵ１０上で動作し、制御を行い、図１の様々な構成要素の機能を調整するために使用される。オペレーティング・システム４１は、ＩＢＭから市販のＡＩＸ６０００（ＴＭ）オペレーティング・システムやＯＳ／２（ＴＭ）オペレーティング・システム（ＡＩＸ６０００およびＯＳ／２は、インターナショナル・ビジネス・マシーンズ・コーポレーションの商標）、マイクロソフトのＷｉｎｄｏｗｓ  ９８（ＴＭ）やＷｉｎｄｏｗｓ  ＮＴ（ＴＭ）、ならびにＵＮＩＸオペレーティング・システムおよびＡＩＸオペレーティング・システムなどの市販のオペレーティング・システムの１つとすることができる。システムによって制御されるアプリケーション・プログラム４０は、メイン・メモリＲＡＭ１４に格納され、またそこから取り出される。これらのプログラムには、現行ページ中の機能を後続ページ中のタグによって制御するための、本発明のプログラムが含まれる。こうしたプログラムは、Ｎｅｔｓｃａｐｅ３．０（ＴＭ）やマイクロソフトのＩｎｔｅｒｎｅｔ  Ｅｘｐｌｏｒｅｒ（ＴＭ）などの従来のどのＷｅｂブラウザ・プログラムと組み合わせ、またはその一部として使用することができる。読取り専用メモリ（ＲＯＭ）１６は、バス１２を介してＣＰＵ１０に接続され、基本的なコンピュータ機能を制御する基本入出力システム（ＢＩＯＳ）を含む。ＲＡＭ１４、入出力アダプタ１８、および通信アダプタ３４も、システム・バス１２と相互接続されている。入出力アダプタ１８は、ディスク記憶装置２０と通信するスモール・コンピュータ・システム・インターフェース（ＳＣＳＩ）のアダプタとすることができる。通信アダプタ３４は、データ処理システムがＬＡＮやＷＡＮを介して他の類似のシステムと通信できるようにする外部ネットワークとバス１２とを相互接続する。この外部ネットワークは、もちろんＷｅｂすなわちインターネットを含む。この２つの用語は、一般的に交換可能であり、今日、配布ネットワークについて記述する際には、そのように使用されている。入出力装置も、ユーザ・インターフェース・アダプタ２２およびディスプレイ・アダプタ３６を介して、システム・バス１２に接続されている。キーボード２４とマウス２６は、共にユーザ・インターフェース・アダプタ２２を介して、バス１２と相互接続されている。ユーザが本発明によるブラウザおよび関連プログラムに対話的に関わることができるのは、こうした入力装置��介してである。ディスプレイ・アダプタ３６は、表示画面３８上の各ピクセルの表示を保持する記憶装置であるフレーム・バッファ３９を含む。イメージは、ＤＡコンバータ（図示せず）などの様々な構成要素を介してモニタ３８上に表示するために、フレーム・バッファ３９中に記憶することができる。ユーザは、上述の入出力装置を使用することによって、キーボード２４やマウス２６を介してシステムに情報を入力し、ディスプレイ３８を介してシステムから出力情報を受け取ることができる。
【００１３】
コンピュータ５６に制御されたディスプレイ端末５７が、本発明によるＷｅｂページやドキュメントまたはリンクされたＷｅｂページやドキュメントのアクセスおよび表示に使用することができるインターネットすなわちＷｅｂ部分の概略図が、図２に示すように接続されている。コンピュータ５６とディスプレイ端末５７は、図１に示されているコンピュータ・システムであり、接続５８（図２）は、図１に示されているネットワーク接続である。本発明を用いるシステムを実施するために使用できる、ローカル・ディスプレイ・ワークステーションからネットワーク・サーバを介してインターネットへ至るすべての典型的な接続については、上述の「Ｍａｓｔｅｒｉｎｇ  ｔｈｅ  Ｉｎｔｅｒｎｅｔ」のｐ．１３６〜ｐ．１４７を参照することができる。図２のシステム実施形態は、「ホストダイアル接続」として知られるこれらの接続の１つである。こうしたホストダイアル接続は、インターネット５０にリンク（５１）されたネットワーク・アクセス・サーバ５３を介して、３０年以上前から使用されてきた。サーバ５３は、クライアントのディスプレイ端末５７に対して、サービス・プロバイダによって保守される。ホストのサーバ５３は、クライアント端末５７によって、モデム５４、電話回線５５、およびモデム５２を介して、通常のダイアルアップ電話リンケージ５８を通じてアクセスされる。Ｗｅｂページを表示するＨＴＭＬファイルは、インターネット５０からリンケージ５１を介して電話回線リンケージへアクセスした可能性のあるサーバ５３からの電話回線リンケージを介して、制御サーバ５３およびコンピュータ５６を通じて、ディスプレイ端末５７へダウンロードされる。
【００１４】
本発明は、標準的なブラウザ機能と組み合わせてＷｅｂブラウザ上で実施することが好ましい。標準的なブラウザ・プロセスは、従来の方法でＷｅｂからＷｅｂページにアクセスし、これを受信するために使用される。本発明を適用するのは、受信表示ステーションにおけるこうした受信ドキュメントに対してである。
【００１５】
ここで図３および図４を参照し、これらの図のフローチャートと併せて、本発明によって実施されるプロセスについて述べる。図３は、本発明が制御を意図する進行中で後続ページに取って代わられようとしている、現在表示されているＷｅｂページ中の機能を制御するためのＨＴＭＬタグを、この後続Ｗｅｂページ中に提供するための、本発明によるプロセスの進行を示すフローチャートである。本発明のアプリケーション・プログラムは、その最も広義の態様において、Ｗｅｂページの製作者またはユーザあるいはその両方が、現行Ｗｅｂページを操作するために、後続Ｗｅｂページ中の選択的な制御タグによって選択的に活動化可能なＨＴＭＬタグを、現在表示されているＷｅｂページ中にセットアップできるように、図３のステップ６１でセットアップされる。この例では、こうした操作を、現行ページから後続ページへの移行における進行効果に関して考える。こうした進行効果とは、現行ページの複数部分が後続ページ中に含まれるように操作される、こうしたページ間の移行を意味し、これについては本願において後述する。またこうした進行効果は、上述の相互参照された同時係属出願に詳述されている、美的に望ましいページ間の移行を含む。またステップ６２において、現行ページの製作者またはユーザあるいはその両方が、どの後続Ｗｅｂページが現行ページ中のタグを活動化できるかを判定できるように、プログラムがセットアップされる。換言すると、前の、すなわち現行のＷｅｂページは、現行ページ中のタグを制御するためにアクセスできるＵＲＬによって識別されるＷｅｂページをテーブル化またはリストすることができる。同様にステップ６４において、後続Ｗｅｂページのユーザまたは製作者あるいはその両方に、後続Ｗｅｂページ中の制御タグによって、現行の、したがって前のＷｅｂページの内のどのページのタグを活動化するかを選択するオプションを与えることができる。これもまた、そのＵＲＬを介して識別される、要件を満たした現行Ｗｅｂページに後続するページ中のリストを用いて実施することができる。現行Ｗｅｂページと後続Ｗｅｂページの両方が相互にこうした対話の要件を満たす場合、次いでステップ６３において、後続Ｗｅｂページのユーザは、移行を実施するために、現在表示されているページ中のどのタグを活動化するかを選択することができる。この機能を実行する際には、後続Ｗｅｂページ中のこの目的用の制御タグは、後続ページのＨＴＭＬフォーマットの前にセットアップされる。これらのタグは、活動化される現行ページ中のタグを参照する。次いでステップ６５において、適当な操作を行うためにページ・フォーマットを作成するブラウザ・アプリケーションと共に動作する適当な属性が適用される。
【００１６】
図３のアプリケーション・プログラムのセットアップ例において、ページのシーケンスがナビゲーション・システムにあり、その中で現行ページが地図を表示している場合、いくらか移行した地図を表示するために、後続ページをロードすることができる。これに関連して、本発明を実施する際に、後続ページがアクセスされるとき、後続ページがすぐに現行ページに取って代わるのではなく、現行ページから後続ページへの進行があることを理解されたい。したがって、現行ページからの地図は、依然として有効であり、かつ後続ページに含まれるが、ミリ秒単位の所与の時間に（ピクセルまたは適当な単位で）約１インチ移行し、後続ページから新しい部分が移行または進行してくる。したがって後続ページ用のＨＴＭＬは、地図用のイメージ・タグがそうした時間でそうした量移動できるが、後続ページが開かれたときに消去されないように、指定することができる。このように後続ページへの進行において、地図の新しい部分が、映像のような効果を伴って開かれるので、ユーザには、地図がなめらかにスクロール・アップされ、その結果、後続ページＷｅｂが継ぎ目なくロードされるように見える。本願は、従来のオペレーティング・システムのグラフィカル・ユーザ・インターフェース（ＧＵＩ）によって使用される膨大なグラフィクスのライブラリを使用せずに、ディスプレイ・アダプタ機能を直接使用することによって、この効果を達成することができる。類似の技術を使用して、映像のようなフェード・インおよびフェード・アウトを生成することもできる。
【００１７】
次に図４を参照して、このプロセスの実行について述べる。まずステップ７１において、現行Ｗｅｂページが表示される。このページは、従来、適当なブラウザ・プログラムによってアクセスされてきた。次にステップ７２において、次の、すなわち後続のＷｅｂページがアクセスされたかどうかの判定が行われる。Ｎｏの場合、本発明のプロセスは、ユーザが自身の興味に従ってＷｅｂページに働きかける間、次のページの到着を待つ。ステップ７２からの判定がＹｅｓの場合、すなわち次のページがアクセスされた場合、次のページは、すぐには現行ページに取って代わらない。まずステップ７４において、前の、すなわち現行のページ中の機能を制御するための制御タグが次のページ中にあるかどうかの判定が行われる。上述のように、通常こうした制御タグは、次のページを表示する、受信されたＨＴＭＬフォーマットの前部付近に配置される。こうしたタグがない場合、すなわちステップ７４での判定がＮｏの場合、ステップ７３において、次のページが、まったく進行的操作を伴わずに、機械的に表示される。判定がＹｅｓの場合、すなわちそうした制御タグがある場合、ステップ７５において、現行ページが次のページ中の制御タグによってそれ自体のタグが活動化される資格があるかどうかの判定が行われる。換言すれば、現行ページは、選択されたページ間の移行を介して次のページが操作することのできるページとして、それ自体のＵＲＬが次のページ中にリストされているかどうかの判定が行われる。Ｎｏの場合、プロセスは、分岐「Ａ」を介して、ステップ７３に戻り、次のページが、何ら特別な操作の進行を伴わずに、再び従来どおり表示される。しかし、ステップ７５からの判定がＹｅｓの場合、すなわち現行ページが要件を満たしている場合、ステップ７６において、次のページがそれ自体のタグに現行ページ中の制御タグが活動化される資格があるかどうかについて、更なる判定が行われる。換言すれば、次のページは、選択されたページ間の移行を介して現行ページを操作することのできるページとして、自身のＵＲＬが現行ページ中にリストされているかどうかの判定が行われる。Ｎｏの場合、プロセスは、分岐「Ａ」を介してステップ７３に戻り、次のページが、何ら特別な操作の進行を伴わずに、再び従来どおり表示される。しかしステップ７６からの判定がＹｅｓの場合、すなわち次のページが要件を満たしている場合、進行を操作する現行ページ中のタグは、ステップ７７においてすべて配置および活動化され、ステップ７８においてその操作機能を実行する。その後、プロセスは、分岐「Ａ」を介してステップ７３に戻り、適当な移行の後、新しいページが表示されることになる。この時点で、プロセス中の分岐「Ｂ」に示されるように、ここで言う次のページは、ステップ７１において、事実上現行ページとなり、ステップ７２において、後続の、すなわち次のＷｅｂページが再び待機する。
【００１８】
コンピュータ操作中の本発明の好ましい実施態様の１つが、ＲＡＭ１４中に常駐するプログラミング・ステップまたは命令から構成されるアプリケーション・プログラム４０として図１に示されている。コンピュータ・システムによって要求されるまで、プログラム命令を別の可読媒体、たとえばディスク・ドライブ２０、またはＣＤ  ＲＯＭのコンピュータ入力に使用される光ディスクなどの取外し可能なメモリ、またはフロッピー・ディスク・ドライブのコンピュータ入力に使用されるフロッピー・ディスクに記憶することができる。さらに、本発明のシステムにおける使用に先立って、プログラム命令を別のコンピュータのメモリに記憶し、本発明のユーザによって要求されたときに、ＬＡＮ、またはインターネットなどのＷＡＮ上で伝送することもできる。本発明を制御するプロセスが様々な形態のコンピュータ可読媒体に配置できることを当業者なら理解するだろう。
【図面の簡単な説明】
【図１】中央処理装置と、受信されるデータを、表示されるＷｅｂページおよび本発明によってディスプレイへ移行する後続ページに変換できるユーザ対話型表示ステーションを実装することができる通信アダプタを介したネットワーク接続とを含むデータ処理システムのブロック図である。
【図２】本発明を実施することができるインターネットまたはＷｅｂ部分の概略図である。
【図３】Ｗｅｂページのユーザおよび製作者が、現在表示されているページ中の表示機能を制御するために、後続ページ中に制御タグを提供できるようにするための、本発明を実施するようにセットアップされたプログラムの一般的なフローチャートである。
【図４】図３のフローチャートに従ってセットアップされたプログラムの例示的実行を示すフローチャートである。
【符号の説明】
１０  ＣＰＵ
１２  システム・バス
１４  ＲＡＭ
１６  ＲＯＭ
１８  入出力アダプタ
２０  ディスク記憶装置
２２  ユーザ・インターフェース・アダプタ
２４  キーボード
２６  マウス
３４  通信アダプタ
３６  ディスプレイ・アダプタ
３８  表示画面
３９  フレーム・バッファ
４０  アプリケーション・プログラム
４１  オペレーティング・システム
５０  インターネット
５２  モデム
５３  ネットワーク・アクセス・サーバ
５４  モデム
５６  コンピュータ
５７  ディスプレイ端末
【図１】
0003627007.tif 000002
【図２】
0003627007.tif 000003
【図３】
0003627007.tif 000004
【図４】
0003627007.tif 000005